(57)【特許請求の範囲】
【請求項１】
干し物を着脱自在に吊下げ支持する複数の吊下げ具が吊設された物干し枠体と、被取付面に対して吸着可能な吸盤部を有する取付基台とを備え、その取付基台が、前記吸盤部により被取付面に取付けられた状態で、その取付基台に対して前記物干し枠体が使用姿勢で保持されるように構成されている物干し器であって、
前記物干し枠体と取付基台が、互いに分離自在な別体に構成され、前記取付基台が被取付面に取付けられた状態で、その取付基台に対して前記物干し枠体を一定の使用姿勢で保持する着脱機構が設けられ、
前記物干し枠体が、同心状に形成された大径の外側半円形枠と小径の内側半円形枠、および、それら両半円形枠の端部どうしを連結する連結枠により構成され、前記取付基台への着脱部材が、前記内側半円形枠に対して、その内側空間内に位置するように連設され、前記複数の吊下げ具が、前記外側半円形枠と内側半円形枠に吊設されている物干し器。
【請求項２】
干し物を着脱自在に吊下げ支持する複数の吊下げ具が吊設された物干し枠体と、被取付面に対して吸着可能な吸盤部を有する取付基台とを備え、その取付基台が、前記吸盤部により被取付面に取付けられた状態で、その取付基台に対して前記物干し枠体が使用姿勢で保持されるように構成されている物干し器であって、
前記物干し枠体と取付基台が、互いに分離自在な別体に構成され、前記取付基台が被取付面に取付けられた状態で、その取付基台に対して前記物干し枠体を一定の使用姿勢で保持する着脱機構が設けられ、
前記着脱機構が、前記物干し枠体と取付基台のうち、一方に設けられた長尺状の着脱用突起と、他方に設けられた前記着脱用突起に嵌合する凹入溝により構成され、
前記着脱用突起が正面視において下方ほど外側へ広がり、かつ、側面視において下方ほど両側方へ広がるように形成され、
前記凹入溝が入口側ほど広く、奥へ行くほど狭くなるように形成され、その入口部位には、前記着脱用突起への外嵌を容易にするためのガイド用の広口の開口部が設けられている物干し器。
【請求項３】
干し物を着脱自在に吊下げ支持する複数の吊下げ具が吊設された物干し枠体と、被取付面に対して吸着可能な吸盤部を有する取付基台とを備え、その取付基台が、前記吸盤部により被取付面に取付けられた状態で、その取付基台に対して前記物干し枠体が使用姿勢で保持されるように構成されている物干し器であって、
前記物干し枠体と取付基台が、互いに分離自在な別体に構成され、前記取付基台が被取付面に取付けられた状態で、その取付基台に対して前記物干し枠体を一定の使用姿勢で保持する着脱機構が設けられ、
前記取付基台に対して前記物干し枠体を使用姿勢で保持した状態で、前記取付基台に対して前記物干し枠体を使用姿勢で係合保持する係合機構が設けられ、
前記係合機構は、前記取付基台の背面に設けてある可動突起と、前記物干し枠体における前記取付基台への着脱部材に設けてある固定突起と、を備え、前記固定突起が前記可動突起を乗り越えて弾性的に係合するように構成してある物干し器。
【請求項４】
前記物干し枠体が、前記着脱機構により被取付面に対してほぼ直交する使用姿勢で保持されるように構成されている請求項１〜３の何れか一項に記載の物干し器。
【請求項５】
前記取付基台が、前記吸盤部に対して回動自在に設けられ、その吸盤部に設けられた可撓性の吸盤を被取付面に押し当てて、前記取付基台を所定の吸着位置まで回動させることにより、前記吸盤が、その中央部を被取付面から離間させて被取付面に吸着するように構成されている請求項１〜４のいずれか１項に記載の物干し器。
【請求項６】
前記取付基台が、前記吸着位置において被取付面に沿うように構成され、その吸着位置にある取付基台に対して、前記物干し枠体が、前記着脱機構により使用姿勢で保持されるように構成されている請求項５に記載の物干し器。
【請求項７】
前記吊下げ具がピンチであり、前記外側半円形枠に吊設される複数のピンチと内側半円形枠に吊設される複数のピンチが、両半円形枠に沿って互い違いに位置するように吊設されている請求項１に記載の物干し器。
【発明の詳細な説明】
【技術分野】
【０００１】
本発明は、干し物を着脱自在に吊下げ支持する複数の吊下げ具が吊設された物干し枠体と、被取付面に対して吸着可能な吸盤部を有する取付基台とを備え、前記吸盤部による被取付面への吸着によって前記取付基台が被取付面に取付けられた状態で、その取付基台に対して前記物干し枠体が使用姿勢で保持されるように構成されている物干し器に関する。
【背景技術】
【０００２】
このような物干し器としては、従来、物干し枠体と取付基台が、軸受け部を介してほぼ９０度の角度にわたって相対回動自在に連結され、例えば、取付基台が吸盤部により垂直な被取付面に吸着保持された状態で、物干し枠体が、被取付面からほぼ水平に突出する使用姿勢と、被取付面に沿って上方へ折り畳まれる不使用姿勢とに切り換え自在に構成したものが知られている（例えば、特許文献１参照）。
【先行技術文献】
【特許文献】
【０００３】
【特許文献１】特開２００３−９３７９４号公報（図１１〜図１３）
【発明の概要】
【発明が解決しようとする課題】
【０００４】
しかし、上記公報に記載の物干し器は、物干し枠体と取付基台が、軸受け部により互いに連結された構成であるため、実際の使用に際して不便さが残り、この点に改良の余地があった。
すなわち、物干し器の不使用時には、物干し枠体が被取付面に沿って上方へ折り畳まれるとはいえ、不必要な物干し枠体が被取付面に沿って存在するため、何かにつけて邪魔になるという問題があり、それを回避しようとすると、被取付面に対する吸着を解除して、物干し器全体を被取付面から取り外す必要があった。
さらに、物干し器により洗濯物などを吊下げ支持する場合、例えば、洗濯機から洗濯物を取り出して直接吊下げようとすると、被取付面に対する吸着を解除して、物干し器全体、つまり、物干し枠体と取付基台を一緒に洗濯機の近くまで持って行く必要があり、また、洗濯物を吊下げた後において、物干し器全体を再び被取付面に吸着保持させる必要があるなど、実際の使用に際して煩雑さが伴うという問題があった。
【０００５】
本発明は、このような従来の問題点に着目したもので、その目的は、物干し器の不使用時に、いちいち被取付面に対する吸着を解除することなく、物干し枠体のみを取り外すことができ、また、洗濯機の近くで洗濯物を吊下げるような場合には、簡単な操作で物干し枠体のみを取り外して便利に使用することのできる物干し器を提供することにある。
【課題を解決するための手段】
【０００６】
本発明の第１の特徴構成は、干し物を着脱自在に吊下げ支持する複数の吊下げ具が吊設された物干し枠体と、被取付面に対して吸着可能な吸盤部を有する取付基台とを備え、その取付基台が、前記吸盤部により被取付面に取付けられた状態で、その取付基台に対して前記物干し枠体が使用姿勢で保持されるように構成されている物干し器であって、前記物干し枠体と取付基台が、互いに分離自在な別体に構成され、前記取付基台が被取付面に取付けられた状態で、その取付基台に対して前記物干し枠体を一定の使用姿勢で保持する着脱機構が設けられ、前記物干し枠体が、同心状に形成された大径の外側半円形枠と小径の内側半円形枠、および、それら両半円形枠の端部どうしを連結する連結枠により構成され、前記取付基台への着脱部材が、前記内側半円形枠に対して、その内側空間内に位置するように連設され、前記複数の吊下げ具が、前記外側半円形枠と内側半円形枠に吊設されているところにある。
【０００７】
上記構成によれば、物干し枠体と取付基台が、互いに分離自在な別体に構成されているので、物干し器の不使用時に、被取付面に対する吸着を解除して物干し器全体を取り外すことなく、邪魔になる物干し枠体のみを取付基台から簡単に取り外すことができる。
【０００８】
また、洗濯機から洗濯物を取り出して、洗濯機の近くで吊下げ作業を行うような場合にも、洗濯物を吊下げるのに必要な物干し枠体のみを取り外して持って行くことができ、洗濯物を吊下げた後においては、着脱機構を介して物干し枠体を取付基台に装着するだけで、物干し枠体を一定の使用姿勢に保持することができ、従来に比べて利便性良く使用することができる。
【０００９】
さらに上記構成によれば、物干し枠体が、同心状に形成された大径の外側半円形枠と小径の内側半円形枠などにより構成されて、全体が半円形状になるので、例えば、矩形の場合のような角部が存在せず、たとえ顔や頭などが接当しても比較的安全である。
そして、取付基台への着脱部材が、内側半円形枠に対して、その内側空間内に位置するように連設されているので、物干し器の使用状態においては、半円形状の物干し枠体が被取付面に近接して保持され、その被取付面に近接した物干し枠体の外側半円形枠と内側半円形枠に複数の吊下げ具が吊設されるので、たとえ多数の干し物であっても、比較的小さな使用空間内に要領よく吊下することができる。
【００１０】
本発明の第２の特徴構成は、干し物を着脱自在に吊下げ支持する複数の吊下げ具が吊設された物干し枠体と、被取付面に対して吸着可能な吸盤部を有する取付基台とを備え、その取付基台が、前記吸盤部により被取付面に取付けられた状態で、その取付基台に対して前記物干し枠体が使用姿勢で保持されるように構成されている物干し器であって、
前記物干し枠体と取付基台が、互いに分離自在な別体に構成され、前記取付基台が被取付面に取付けられた状態で、その取付基台に対して前記物干し枠体を一定の使用姿勢で保持する着脱機構が設けられ、前記着脱機構が、前記物干し枠体と取付基台のうち、一方に設けられた長尺状の着脱用突起と、他方に設けられた前記着脱用突起に嵌合する凹入溝により構成され、前記着脱用突起が正面視において下方ほど外側へ広がり、かつ、側面視において下方ほど両側方へ広がるように形成され、前記凹入溝が入口側ほど広く、奥へ行くほど狭くなるように形成され、その入口部位には、前記着脱用突起への外嵌を容易にするためのガイド用の広口の開口部が設けられているところにある。
【００１１】
上記構成によれば、物干し枠体を取付基台に装着した際、物干し枠体は、長尺状の着脱用突起と凹入溝で構成される着脱機構により取付基台に保持されるので、物干し枠体の姿勢が所望どおりの一定した使用姿勢に確実に保持される。
【００１２】
本発明の第３の特徴構成は、干し物を着脱自在に吊下げ支持する複数の吊下げ具が吊設された物干し枠体と、被取付面に対して吸着可能な吸盤部を有する取付基台とを備え、その取付基台が、前記吸盤部により被取付面に取付けられた状態で、その取付基台に対して前記物干し枠体が使用姿勢で保持されるように構成されている物干し器であって、
前記物干し枠体と取付基台が、互いに分離自在な別体に構成され、前記取付基台が被取付面に取付けられた状態で、その取付基台に対して前記物干し枠体を一定の使用姿勢で保持する着脱機構が設けられ、前記取付基台に対して前記物干し枠体を使用姿勢で保持した状態で、前記取付基台に対して前記物干し枠体を使用姿勢で係合保持する係合機構が設けられ、前記係合機構は、前記取付基台の背面に設けてある可動突起と、前記物干し枠体における前記取付基台への着脱部材に設けてある固定突起と、を備え、前記固定突起が前記可動突起を乗り越えて弾性的に係合するように構成してあるところにある。
【００１３】
上記構成によれば、係合機構が、取付基台に対して物干し枠体を使用姿勢で係合保持するので、取付基台からの物干し枠体の脱落が抑制される。また、固定突起が可動突起を乗り越えて弾性的に係合することで、固定突起と可動突起からなる係合機構によって、物干し枠体が、水平な使用姿勢に確実に保持される。
【００１４】
本発明の第４の特徴構成は、前記物干し枠体が、前記着脱機構により被取付面に対してほぼ直交する使用姿勢で保持されるように構成されているところにある。
【００１５】
上記構成によれば、例えば、被取付面がほぼ垂直な面であれば、物干し枠体は、ほぼ水平な使用姿勢となり、吊下げ具に支持された洗濯物などの干し物は、物干しに適した姿勢、つまり、下方へ吊下する風通しの良い状態となる。
【００１６】
本発明の第５の特徴構成は、前記取付基台が、前記吸盤部に対して回動自在に設けられ、その吸盤部に設けられた可撓性の吸盤を被取付面に押し当てて、前記取付基台を所定の吸着位置まで回動させることにより、前記吸盤が、その中央部を被取付面から離間させて被取付面に吸着するように構成されているところにある。
【００１７】
上記構成によれば、吸盤部に設けられた可撓性の吸盤を被取付面に押し当てて、取付基台を吸着位置まで回動させるだけの簡単な操作で、吸盤の中央部を被取付面から離間させて被取付面に強力に吸着させることができる。
【００１８】
本発明の第６の特徴構成は、前記取付基台が、前記吸着位置において被取付面に沿うように構成され、その吸着位置にある取付基台に対して、前記物干し枠体が、前記着脱機構により使用姿勢で保持されるように構成されているところにある。
【００１９】
上記構成によれば、取付基台を被取付面に吸着させた状態で、取付基台が被取付面に沿うことになるので、取付基台はあまり邪魔にならない姿勢となる。
そして、その吸着位置にある取付基台に対して、物干し枠体が、着脱機構により使用姿勢で保持されるように構成されているので、物干し枠体を着脱機構に装着するだけで、物干し枠体は所望どおりの使用姿勢となる。
【００２０】
本発明の第７の特徴構成は、前記吊下げ具がピンチであり、前記外側半円形枠に吊設される複数のピンチと内側半円形枠に吊設される複数のピンチが、両半円形枠に沿って互い違いに位置するように吊設されているところにある。
【００２１】
上記構成によれば、外側半円形枠側の複数のピンチと内側半円形枠側の複数のピンチが、両半円形枠に沿って互い違いに位置するように吊設されているので、たとえ多数の干し物であっても、互い違いに吊下することにより、物干しに適した風通しの良い状態で吊下することができる。
【図面の簡単な説明】
【００２２】
【図１】物干し器の使用状態を示す斜視図
【図２】物干し枠体と取付基台を分離した状態を示す斜視図
【図３】物干し器の使用状態を示す側面図
【図４】物干し器の使用状態を示す平面図
【図５】物干し枠体の平面図
【図６】物干し器の要部と操作状態を示す一部切欠き側面図
【図７】取付基台の平面図と物干し枠体の要部の底面図
【図８】取付基台の縦断正面図と物干し枠体の要部の縦断正面図
【発明を実施するための形態】
【００２３】
本発明による物干し器の実施形態を図面に基づいて説明する。
本発明の物干し器は、図１〜図４に示すように、洗濯物などの干し物を吊下げ支持する複数の吊下げ具としてのピンチ（洗濯はさみ）１が吊設された物干し枠体Ａと、例えば、浴室や洗面所におけるタイル面やガラス面などの垂直な被取付面Ｍに対して吸着可能な吸盤部２を有する取付基台Ｂを備え、その物干し枠体Ａと取付基台Ｂが、互いに分離自在な別体に構成されている。
そして、後述する着脱機構Ｃが、物干し枠体Ａと取付基台Ｂとにわたって設けられ、取付基台Ｂが吸盤部２により被取付面Ｍに取付けられた状態で、その着脱機構Ｃにより、物干し枠体Ａが、取付基台Ｂに対して一定の使用姿勢で保持されるように構成されている。
【００２４】
物干し枠体Ａは、平面視において、同心状に形成された大径の外側半円形枠３と小径の内側半円形枠４、それら両半円形枠３、４の端部どうしを連結する一対の連結枠５、さらに、両半円形枠３、４の中央部どうしを連結する補強枠６などを備え、それらの枠３、４、５、６が合成樹脂により一体形成されて構成されている。
その物干し枠体Ａの内側半円形枠４の内側空間内には、取付基台Ｂへの着脱部材７が配置され、３本の取付枠８を介して内側半円形枠４に連設され、これら着脱部材７と取付枠８も合成樹脂により一体形成されている。
さらに、外側半円形枠３の内側と内側半円形枠４の外側には、複数の取付輪９が、この実施形態では、外側半円形枠３に６個の取付輪９が、内側半円形枠４に４個の取付輪９が、両半円形枠３、４に沿って互い違いに位置するように一体的に設けられ、各取付輪９には、合成樹脂製の連結具１０を介してピンチ１が吊下げられている。
【００２５】
そして、各ピンチ１に対面する状態で、つまり、外側半円形枠３に吊設されたピンチ１に対しては内側半円形枠４に、内側半円形枠４に吊設されたピンチ１に対しては外側半円形枠３に、それぞれピンチ１により挟持可能な被挟持片１１が一体的に突設されている。
すなわち、外側半円形枠３については、取付輪９と交互に４個の被挟持片１１が突設され、内側半円形枠４については、取付輪９と交互に６個の被挟持片１１が突設され、図５に示すように、各ピンチ１により、そのピンチ１に対面する被挟持片１１を挟持することにより、各ピンチ１と連結具１０が、外側半円形枠３、内側半円形枠４、および、一対の連結枠５により形成される空間内に位置し、かつ、両半円形枠３、４の幅内にすっぽりと納まって収納されるように構成されている。
このように構成することにより、物干し器の不使用時において、複数のピンチ１が物干し枠体Ａから吊下がらないコンパクトな状態にして、物干し器Ａを比較的小さな収納空間内に収納保管することが可能となる。
【００２６】
取付基台Ｂは、図６に示すように、把持し易いように若干彎曲した長尺状に形成され、一端部に吸引操作用の突出部１２と位置規制片１３を有し、他端部に被取付面Ｍへの接当部１４ａを有する接当枠１４が設けられ、突出部１２、位置規制片１３、および、接当枠１４を含む取付基台Ｂ全体が合成樹脂により一体的に形成されている。
その取付基台Ｂに設けられる吸盤部２は、図６の（ｃ）から明らかなように、合成樹脂製の吸盤枠１５と可撓性の吸盤１６を備え、吸盤１６の中央部に吸引操作用の操作杆１７が連設され、その操作杆１７に対して、取付基台Ｂの一端部が、回動軸１８を介して、図６の（ａ）において仮想線で示す非吸着位置から図６の（ｂ）または（ｃ）に示す吸着位置まで、ほぼ９０度の角度にわたって相対回動自在に取付けられている。
そして、図６の（ａ）に示すように、吸盤１６を被取付面Ｍに押し当てて、取付基台Ｂを吸着位置まで回動させると、取付基台Ｂの突出部１２が吸盤枠１５の背面に接当し、操作杆１７を介して吸盤１６の中央部を被取付面Ｍから離間させる方向に引き寄せて、被取付面Ｍに強力な吸引力で吸着されるように構成されている。
【００２７】
例えば、図６に示すように、被取付面Ｍが垂直な面であれば、取付基台Ｂが、被取付面Ｍに沿って上下方向に位置し、その位置規制片１３が吸盤枠１５の背面に接当し、かつ、接当枠１４の接当部１４ａが被取付面Ｍに接当する状態で、吸盤１６が、被取付面Ｍに吸着されることになる。そして、その吸着位置にある取付基台Ｂに対して、物干し枠体Ａが、着脱機構Ｃによって一定の使用姿勢で保持される。
そのため、取付基台Ｂの一端部には、図７と図８にも示すように、取付基台Ｂの左右両側に位置する一対の長尺状の着脱用突起１９が一体的に設けられ、その着脱用突起１９に対応して、物干し枠体Ａの着脱部材７には、着脱用突起１９に嵌合する凹入溝２０が設けられ、その着脱用突起１９と凹入溝２０により着脱機構Ｃが構成されている。
【００２８】
着脱機構Ｃを構成する一対の着脱用突起１９は、接当枠１４を下にして取付基台Ｂを垂直な被取付面Ｍに吸着させた状態で、上下方向を向くように配置され、図８に示すように、正面視において下方ほど外側へ広がり、かつ、図６の（ａ）や（ｂ）に示すように、側面視において下方ほど両側方へ広がるように構成されている。
この着脱用突起１９に嵌合する凹入溝２０は、図６の（ｂ）や図８に示すように、着脱用突起１９の形状に対応して、入口側ほど広く、奥へ行くほど狭くなるように形成され、その入口部位には、着脱用突起１９への外嵌を容易にするためのガイド用の広口の開口部２０ａが設けられている。
【００２９】
さらに、取付基台Ｂの背面には、図６の（ｃ）に示すように、着脱用突起１９と平行で、遊端部に可動突起２１を備えた変形自在な舌片２２が一体的に設けられ、それに対応して、着脱部材７には、図６の（ｂ）や（ｃ）に示すように、固定突起２３が設けられ、その可動突起２１と固定突起２２により係合機構Ｄが構成されている。
そして、取付基台Ｂを垂直な被取付面Ｍに吸着保持させた状態で、取付基台Ｂの着脱用突起１９に着脱部材７の凹入溝２０を上方から外嵌させて下方へ移動させることにより、着脱用突起１９と凹入溝２０からなる着脱機構Ｃによって、物干し枠体Ａが、垂直な取付面Ｍに対してほぼ直交する水平な使用姿勢で保持され、かつ、固定突起２２が可動突起２１を乗り越えて弾性的に係合し、固定突起と可動突起２１からなる係合機構Ｄによって、物干し枠体Ａが、水平な使用姿勢に確実に保持されるのである。
【００３０】
以上の構成からなる本発明の物干し器においては、図６の（ａ）に示すように、取付基台Ｂに設けられた吸盤１６を被取付面Ｍに押し当てて、取付基台Ｂを吸着位置まで回動させることにより、操作杆１７を介して吸盤１６の中央部を被取付面Ｍから離間させる方向に引き寄せて、被取付面Ｍに強力な吸引力で吸着させて、取付基台Ｂを被取付面Ｍに対して確実に取付けることができる。
そして、被取付面Ｍに取付けた取付基台Ｂに対して、図６の（ｂ）に示すように、物干し枠体Ａ側の着脱部材７を上方から外嵌することにより、図６の（ｃ）に示すように、着脱機構Ｃを構成する着脱用突起１９と凹入溝２０が嵌合して、物干し枠体Ａが一定の使用姿勢に保持されるとともに、係合機構Ｄを構成する可動突起２１と固定突起２３が係合して、物干し枠体Ａの脱落が防止されるのであり、逆に、物干し枠体Ａを上方へ引き抜き操作することにより、取付基台Ｂから簡単に取り外すことができるのである。
【００３１】
〔別実施形態〕
（１）上記実施形態では、物干し枠体Ａに対して吊下げ具の一例であるピンチ１を吊設した例を示したが、例えば、ピンチ１に代えてハンガーを吊設したり、ハンガーとピンチ１を混在させて吊設することもできる。
また、物干し枠体Ａに関し、外側半円形枠３や内側半円形枠４などによって、平面視で半円形状に構成した例を示したが、外側角形枠や内側角形枠などによって、平面視で長方形などの矩形状や五角形以上の多角形状に構成したり、あるいは、三角形状に構成するなど、使用場所などを考慮して種々の形状に構成することができる。
そして、いずれの形状を採用する場合にも、上記実施形態に示したように、被取付面Ｍ側に位置する部位に凹入部を形成して、その凹入部内に着脱部材７を配設するのが望ましい。
【００３２】
（２）上記実施形態では、取付基台Ｂ側に着脱用突起１９を設け、物干し枠体Ａの着脱部材７側に凹入溝２０を設けて着脱機構Ｃを構成した例を示したが、逆に、取付基台Ｂ側に凹入溝２０を設け、着脱部材７側に着脱用突起１９を設けて着脱機構Ｃを構成することもでき、さらに、着脱用突起１９と凹入部２０以外の手段で着脱機構Ｃを構成することもできる。
同様に、取付基台Ｂ側に可動突起２１を設け、着脱部材７側に固定突起２３を設けて係合機構Ｄを構成した例を示したが、取付基台Ｂ側に固定突起２３を設け、着脱部材７側に可動突起２１を設けて係合機構Ｄを構成することも、また、可動突起２１と固定突起２３以外の手段で係合機構Ｄを構成することもできる。
【符号の説明】
【００３３】
１        吊下げ具（ピンチ）
２        吸盤部
３        外側半円形枠
４        内側半円形枠
５        連結枠
７        着脱部材
１６      吸盤
１９      着脱用突起
２０      凹入溝
Ａ        物干し枠体
Ｂ        取付基台
Ｃ        着脱機構
Ｄ        係合機構
Ｍ        被取付面
【図１】
0005783349.tif 000002
【図２】
0005783349.tif 000003
【図３】
0005783349.tif 000004
【図４】
0005783349.tif 000005
【図５】
0005783349.tif 000006
【図６】
0005783349.tif 000007
【図７】
0005783349.tif 000008
【図８】
0005783349.tif 000009